(57)【要約】    【課題】  簡便かつ正確な、睡眠時無呼吸症候群の診断手段を提供すること。    【解決手段】  ａ．被検者の睡眠の深さを検出するパラメータとしての体温（皮膚温、鼻腔温、深部体温のうちの少なくとも１つ）と、該被検者の睡眠中の呼吸音を頸部密着型マイクロホンによって同時に検出するステップ、ｂ．前記呼吸音の時間周期、時間間隔、周波数、音量やこれらの因子を解析するステップ、ｃ．とを有する体温センサ付き検出端を用いた睡眠中呼吸音の解析による、睡眠時無呼吸症候群の検出・評価システム。【選択図】  図１
2007061203.tif 000002
【特許請求の範囲】
【請求項１】
ａ．被検者の睡眠の深さを検出するパラメータとしての体温（皮膚温、鼻腔温、および深部体温として直腸温、口腔温、膣温、食道温のうちの少なくとも１つ）と、該被検者の睡眠中の呼吸音を頸部密着型マイクロホンによって同時に検出するステップ、
ｂ．前記呼吸音の時間周期、時間間隔、周波数、音量やこれらの因子を解析するステップ、
ｃ．とを有することを特徴とする体温センサ付き検出端を用いた睡眠中呼吸音の解析による睡眠時無呼吸症候群の検出・評価システム。
【請求項２】
ａ．被検者の睡眠の深さを検出するパラメータとしての体温（皮膚温、鼻腔温、深部体温の少なくとも１つ）と、該被検者の睡眠中の呼吸音を頸部密着型マイクロホンによって同時に検出するステップ、
ｂ．該呼吸音検出によって得られる信号をフィルタ処理した後呼吸間隔時系列データを生成するステップ、
ｃ．該呼吸間隔時系列データから無呼吸状態と呼吸状態を識別し、無呼吸状態の時間の総和と、無呼吸状態および呼吸状態全ての状態の時間の総和との比から無呼吸率を求めるステップ、
ｄ．該無呼吸率に基づいて睡眠時無呼吸症の有無および／または無呼吸症の程度を判定するステップ
ｅ．とを有することを特徴とする体温センサ付き検出端を用いた睡眠中呼吸音の解析による睡眠時無呼吸症候群の検出・評価システム。
【請求項３】
ａ．被検者の睡眠の深さを検出するパラメータとしての体温（皮膚温、鼻腔温、深部体温の少なくとも１つ）と、該被検者の睡眠中の呼吸音を頸部密着型マイクロホンによって同時に検出するステップ、
ｂ．該呼吸音検出によって得られる信号をフィルタ処理した後呼吸終了点検出用閾値未満の呼吸音信号の極小点検出を行って該極小点を呼吸終了点とし、該呼吸終了点間隔を呼吸間隔として呼吸間隔時系列データとして生成するステップ、
ｃ．前記呼吸間隔時系列データにおける無呼吸検出用閾値未満の呼吸間隔の総和である無呼吸時間と、全ての呼吸間隔の総和との比から無呼吸率を求めるステップ、
ｄ．該無呼吸率に基づいて睡眠時無呼吸症の有無および／または無呼吸症の程度を判定するステップ
ｅ．とを有することを特徴とする体温センサ付き検出端を用いた睡眠中呼吸音の解析による睡眠時無呼吸症候群の検出・評価システム。
【請求項４】
ａ．被検者の睡眠の深さを検出するパラメータとしての体温（皮膚温、鼻腔温、深部体温の少なくとも１つ）と、該被検者の睡眠中の呼吸音を頸部密着型マイクロホンによって同時に検出するステップ、
ｂ．該呼吸音検出によって得られる信号をフィルタ処理した後呼吸終了点検出用閾値未満の呼吸音信号の極小点検出を行って該極小点を呼吸終了点とし、該呼吸終了点間隔を呼吸間隔として呼吸間隔時系列データとして生成するステップ、
ｃ．前記呼吸間隔時系列データにおける無呼吸検出用閾値未満の呼吸間隔の総和である無呼吸時間と、全ての呼吸間隔の総和との比から無呼吸率を求めるステップ、
ｄ．該無呼吸率に基づいて睡眠時無呼吸症の有無および／または無呼吸症の程度を判定するステップ
ｅ．呼吸間隔時系列データ、カオス処理手法による呼吸間隔時系列データのアトラクタ、および無呼吸率を表示するステップ、
ｆ．とを有することを特徴とする体温センサ付き検出端を用いた睡眠中呼吸音の解析による睡眠時無呼吸症候群の検出・評価システム。
【発明の詳細な説明】
【技術分野】
【０００１】
本発明は、被検者の、たとえば在宅における睡眠中の呼吸音を採取し、それを解析することによって、睡眠時無呼吸症候群の有無およびその程度を検出・評価するシステムに関する。
【０００２】
睡眠時無呼吸症候群（Sleep Apnea Syndrome：ＳＡＳ）は、睡眠中に断続的に無呼吸を繰り返し、日中傾眠などの症状を呈する疾患である。ＳＡＳには呼吸を司る中枢に異常を来し無呼吸になる中枢型と、睡眠中に上気道が塞がる閉塞型とがある。ＳＡＳの多くは閉塞型である。
【０００３】
ＳＡＳになると無呼吸の度毎に睡眠が中断し、本人自身が気付かない脳波上の覚醒が何回となく起き、熟睡できなくなる。而して、この疾患をもつ者は、日中にだるさ、眠気を感じ仕事の能率が落ちるのみならず、交通事故や労災を惹起する危険性を有する。また、無呼吸により血中酸素濃度が低下し、脳や心臓などへ悪影響を及ぼして脳卒中や心臓病、高血圧症などを起こしやすくなる。さらに、無呼吸の程度がひどくなると、生命にも影響することがわかってきた。日本の無呼吸患者は成人の５％、２００万人の潜在患者がおり、治療を要する患者数は３０万人ともいわれている。
【０００４】
ＳＡＳ判定には、病院で行われる精密診断として、ポリソムノグラフィー（Polysomnography：ＰＳＧ）を用いて様々な生体信号を同時記録しそれを解析する方法がある。ＰＳＧによって計測される生体信号は、脳波、眼電図、筋電図、足の動き、腹の動き、胸の動き、いびき、呼吸、血中酸素飽和度など多岐に亘っている。ＰＳＧによる精密診断には、終夜に亘る医師の監視、多数のセンサの取り付け、１２時間にも及ぶ検査時間を要するなどさまざまな問題がある。一方、簡易診断法としてパルスオキシメータによる測定法がある。この方法は、体動や末梢血流の影響を受けやすく、酸素飽和度の低下が少ない軽度の睡眠時無呼吸症候群の診断には問題がある。
【０００５】
ＳＡＳ診断に関して、心臓電位を走査しかつａ）心臓電位に基づいて心拍度数を検出するための器具、ｂ）呼吸音及びｃ）いびき音を検出するための器具および短い時間間隔についてその都度検出された前記生理学的パラメータの多数の組をコード化された形で記憶するための器具を有する、患者の生理学的パラメータを検出しかつ記憶するための移動装置において、さらに、ｄ）血液の酸素飽和度およびｅ）体位を検出しかつコード化された形で記憶するための器具を有する点によって特徴づけられる睡眠時無呼吸症候群の通院認知及び診断のために患者の生理学的パラメータを検出しかつ記憶するための移動装置が既知である（たとえば、特許文献１参照）。
【特許文献１】特開平０５−２０００３１号公報
【発明の開示】
【発明が解決しようとする課題】
【０００６】
しかしながら、上記先行技術によるときは、患者の手足や腹部、胸部など多岐に亘る箇所に複数（２０箇以上）の異なったセンサを取り付けて検査をしなければならない。このため、医師から患者への検査のための説明や指導も複雑をきわめていた。また、このようにして収集された検査結果を異なる専門の医師が解析する必要があり、しかも、最終的にはこの異なる専門の医師の解析結果を持ち寄って、睡眠時無呼吸症候群であるか否かの結論を出さねばならなかった。
【０００７】
而して、交通機関における運転・操縦業務や原子力発電所等重要施設における監視業務などに従事する人の適性検査にも応用できる、短時間で高精度かつ安価な睡眠時無呼吸症候群の診断手段が望まれているが、簡便かつ正確な睡眠時無呼吸症候群の診断手段は確立されていなかった。本発明は、従来技術における問題を解決し、簡便かつ正確な睡眠時無呼吸症候群の診断手段を提供することを目的とする。
【課題を解決するための手段】
【０００８】
上記課題を解決するための請求項１に記載の発明は、ａ．被検者の睡眠の深さを検出するパラメータとしての体温（皮膚温、鼻腔温、深部体温として直腸温、口腔温、膣温、食道温）と、該被検者の睡眠中の呼吸音を頸部密着型マイクロホンによって同時に検出するステップ、
ｂ．前記呼吸音の時間周期、時間間隔、周波数、音量やこれらの因子を解析するステップ、
ｃ．とを有する体温センサ付き検出端を用いた睡眠中呼吸音の解析による睡眠時無呼吸症候群の検出・評価システムである。
【０００９】
請求項２に記載の発明は、ａ．被検者の睡眠の深さを検出するパラメータとしての体温（皮膚温、鼻腔温、深部体温）と、該被検者の睡眠中の呼吸音を頸部密着型マイクロホンによって同時に検出するステップ、
ｂ．該呼吸音検出によって得られる信号をフィルタ処理した後呼吸間隔時系列データを生成するステップ、
ｃ．該呼吸間隔時系列データから無呼吸状態と呼吸状態を識別し、無呼吸状態の時間の総和と、無呼吸状態および呼吸状態全ての状態の時間の総和との比から無呼吸率を求めるステップ、
ｄ．該無呼吸率に基づいて睡眠時無呼吸症の有無および／または無呼吸症の程度を判定するステップ
ｅ．とを有する体温センサ付き検出端を用いた睡眠中呼吸音の解析による睡眠時無呼吸症候群の検出・評価システムである。
【００１０】
請求項３に記載の発明は、ａ．被検者の睡眠の深さを検出するパラメータとしての体温（皮膚温、鼻腔温、深部体温）と、該被検者の睡眠中の呼吸音を頸部密着型マイクロホンによって同時に検出するステップ、
ｂ．該呼吸音検出によって得られる信号をフィルタ処理した後呼吸終了点検出用閾値未満の呼吸音信号の極小点検出を行って該極小点を呼吸終了点とし、該呼吸終了点間隔を呼吸間隔として呼吸間隔時系列データとして生成するステップ、
ｃ．前記呼吸間隔時系列データにおける無呼吸検出用閾値未満の呼吸間隔の総和である無呼吸時間と、全ての呼吸間隔の総和との比から無呼吸率を求めるステップ、
ｄ．該無呼吸率に基づいて睡眠時無呼吸症の有無および／または無呼吸症の程度を判定するステップ
ｅ．とを有する体温センサ付き検出端を用いた睡眠中呼吸音の解析による睡眠時無呼吸症候群の検出・評価システムである。
【００１１】
請求項４に記載の発明は、ａ．被検者の睡眠の深さを検出するパラメータとしての体温（皮膚温、鼻腔温、深部体温）と、該被検者の睡眠中の呼吸音を頸部密着型マイクロホンによって同時に検出するステップ、
ｂ．該呼吸音検出によって得られる信号をフィルタ処理した後呼吸終了点検出用閾値未満の呼吸音信号の極小点検出を行って該極小点を呼吸終了点とし、該呼吸終了点間隔を呼吸間隔として呼吸間隔時系列データとして生成するステップ、
ｃ．前記呼吸間隔時系列データにおける無呼吸検出用閾値未満の呼吸間隔の総和である無呼吸時間と、全ての呼吸間隔の総和との比から無呼吸率を求めるステップ、
ｄ．該無呼吸率に基づいて睡眠時無呼吸症の有無および／または無呼吸症の程度を判定するステップ
ｅ．呼吸間隔時系列データ、カオス処理手法による呼吸間隔時系列データのアトラクタ、および無呼吸率を表示するステップ、
ｆ．とを有する体温センサ付き検出端を用いた睡眠中呼吸音の解析による睡眠時無呼吸症候群の検出・評価システムである。
【発明の効果】
【００１２】
本発明によれば、ポリソムノグラフィーによるＳＡＳ判定に比し、きわめて簡便かつ正確にＳＡＳ判定が可能となる。即ち、ポリソムノグラフィーによる場合、終夜に亘る医師の監視、多数のセンサの取り付け、１２時間に及ぶ検査時間を要するのに対し、本発明による場合、被検者が在宅で簡便に睡眠中の呼吸音を採取し、それを医療機関等で解析することによって高精度下に睡眠時無呼吸症候群の検出・評価が可能となる。また、在宅で呼吸音データ、体温データの採取が可能である処から、同時に測定できる数はデータ採取記録装置（頸部密着型マイクロホン（送信機）および受信・記録装置）の数に依存し、同時に多数のデータ採取が可能である。而して、睡眠時無呼吸症候群の集団検診に利用できる。
【００１３】
さらに、頸部密着型マイクロホンにより直接的に睡眠時の呼吸音を測定するので、外部の雑音を気にする必要がなく、正確な解析が可能となる。また、無呼吸率を数値で表現し、呼吸間隔データを時系列とアトラクタで表示するため簡便かつ正確で客観的なＳＡＳ評価が可能となる。
【発明を実施するための最良の形態】
【００１４】
本発明においては、睡眠時無呼吸症候群の検出・評価のための検出パラメータとして、いびき（鼾）音を含む睡眠中の呼吸音を測定することとした。睡眠中の呼吸音の検出には、頸部密着（バンド、金具または貼着）型マイクロホンを用いることができる。頸部密着型マイクロホンを用いることによって、直接的に呼吸音を測定することとなり、外部の雑音を気にする必要がなく正確な解析を可能ならしめる信号を得ることができる。
【００１５】
本発明は、たとえば被検者が在宅で簡便に睡眠中の呼吸音を採取できることが長所の１つである。而して本発明においては、得られた呼吸音がノンレム睡眠中のものであるか否かを弁別できることを要する。発明者らは、睡眠の深さの程度と体温が強い相関関係を有することに着眼し、被検者の体温（皮膚温、鼻腔温、深部体温として直腸温、口腔温、膣温、食道温の少なくとも１つ）を併せ同時に測定することとした。こうすることによって、得られる呼吸音信号が必要十分に深い睡眠中のものであるか否かを弁別できる。睡眠中は体温が低下し、皮膚温、鼻腔温の場合、０．５℃以上、深部温の場合１℃〜２℃の低下で深い眠りに入っている。
【００１６】
本発明においては、被検者の呼吸音と共に睡眠の深度をモニターするが、これを体温（皮膚温、鼻腔温、深部体温として直腸温、口腔温、膣温、食道温の少なくとも１つ）をパラメータとして検出する。体温（皮膚温、鼻腔温、深部体温のうちの少なくとも１つ）が睡眠時に低下することそれ自体は、たとえば日本生理学会誌  １９８９  ５１、３８７〜４０４や精神神経学会誌において指摘されているように既知である。
【００１７】
深い睡眠中の体温の低下程度は、皮膚温や鼻腔温の場合、０．５℃以上の低下、深部温であれば１℃〜２℃の低下であることが観察されている。これらの報告より体温（皮膚温、鼻腔温、深部体温のうちの少なくとも１つ）の０．５℃以上の低下を有意ととり、睡眠状態にあると判断することができる。
【００１８】
こうして得られる信号は１０分間の測定で２０００万箇〜３０００万箇と膨大で実用的でなくまた、いびきや呼吸音はせいぜい数百Ｈｚである処から、５００Ｈｚに変換したデータを用いる。こうすることによって、２０万箇〜３０万箇のデータ数となる。
【００１９】
処で、前記のようにして得られる呼吸音データは非常にノイジーであるため、信号にフィルタ処理を施す。５００Ｈｚに変換された呼吸音データはバイポーラ（正負）であるため、負のデータを絶対値に変換し、包絡線処理、移動平均処理を繰り返すフィルタ処理を施す。
【００２０】
フィルタ処理が施された呼吸音データ中には、明らかないびきや呼吸音、不明瞭ないびきや呼吸音、呼吸停止が混在している。これらを正確に検出することは容易ではない。本発明においては、呼吸終了点を検出し、この呼吸終了点の間隔を呼吸間隔として呼吸間隔時系列データを生成し、この呼吸間隔時系列データに基づいて呼吸状態と無呼吸状態を識別する。即ち、いびきや呼吸中は呼吸間隔（呼吸終了点間隔）が広く、無呼吸時には呼吸間隔が狭い。而して、ある呼吸間隔（呼吸終了点間隔）を無呼吸検出用閾値として、この無呼吸検出用閾値よりも狭い呼吸間隔の場合を無呼吸状態とし、無呼吸検出用閾値よりも広い呼吸間隔の場合を呼吸状態として、呼吸状態と無呼吸状態とを識別する。
【００２１】
次いで、無呼吸検出用閾値未満の呼吸間隔の総和を無呼吸状態の時間として算出するとともに、全ての呼吸間隔の総和との比を無呼吸率として演算算出し、それに基づいて睡眠時無呼吸症の有無および／または軽重を判定する。
【実施例１】
【００２２】
被検者として、健常者（被検者１）および顕著なＳＡＳ患者（被検者２）を各１名宛選び、データ採取、解析対象者とした。これら被検者の臨床的特徴を表１に示す。各被検者は在宅で、睡眠中の呼吸音データおよび体温（皮膚温、鼻腔温、深部温）データを採取・送信するための、図１に示す、頸部密着型マイクロホン（送信機）１を装着する。この頸部密着型マイクロホン（送信機）１には電池５、マイクロホン２、温度計３が内蔵され、睡眠中の呼吸音データおよび体温（皮膚温、鼻腔温、深部温のうちの少なくとも１つ）データの採取・送信機として機能し、被検者の睡眠中の呼吸音データおよび皮膚温或いは体温データを発信する。この実施例においては、頸部密着型マイクロホン（送信機）１は外径２ｃｍ〜３ｃｍの円形状で、被検者の咽頭部横に人工肛門用両面テープ４によって貼着された。電源を入れると一定時間（１２時間程度）連続して採取データを送信し続ける。電源ボタンをもう一度押すと、送信を停止する。
【００２３】
【表１】
2007061203.tif 000003
【００２４】
一方、被検者の睡眠中の呼吸音データおよび皮膚温或いは体温（皮膚温、鼻腔温、深部温の少なくとも１つ）データを受信すべく機能する受信機能付き記録装置（ＩＣメモリ）６を配設する。この記録装置６はＩＣメモリ方式のデータ記録兼電波受信装置であって、被検者の睡眠中の呼吸音をＩＣメモリに記録する。記録方式は、日時と体温をファイルネームとする１０分間を１つのファイルとして記録する。基本モードは１０分間のファイルを連続して８時間以上、最大１２時間まで記録する。また、録音時間と１ファイルにおける録音時間は任意に設定できる。さらに、頸部密着型マイクロホン（送信機）１からの信号が途絶えた場合は、記録を中断し電源を切る。或いはアラームを鳴らす。図１において、７は電源（録音開始）ボタンである。
【００２５】
この受信機能付き記録装置６のディメンジョンは、厚さ２ｃｍ、幅１０ｃｍ、長さ１５ｃｍのボックス型で、液晶ディスプレイで、日時／呼吸音の録音データ受信／体温のデータ受信の情報を表示し、簡単なアラームなどを鳴らすスピーカを内蔵している。また、ＰＣへの記録データ転送用に、ＵＳＢ（universal serial bus）のインターフェイスを装備している。さらに、これらのインターフェイスはＰＨＳや携帯電話に接続することも可能である。而して、電源スイッチ７を入れると、電源ＯＮを赤、受信状態を緑のランプで表示する。
【００２６】
この実施例においては、頸部密着型マイクロホン（送信機）１と受信機能付き記録装置６間は無線で、被検者の睡眠中の呼吸音データおよび体温（皮膚温、鼻腔温、深部温の少なくとも１つ）データを送信・受信を行うようにしているが、これを有線で行うことも勿論できる。
【００２７】
図２に被検者１の、図３に被検者２の、呼吸音測定開始から１分間毎の解析対象データを示す。  図２の（１）乃至（１０）の各区間を見ると、（８）７分−８分の区間で無呼吸が見られるが、区間によって呼吸信号（音圧）レベルの相異はあるものの、ほぼ全区間で睡眠中の呼吸が見られる。一方、図３の（１）乃至（１０）の各区間を見ると、１６ビットバイポーラＡ／Ｄ変換器のフルレンジと思われる非常に高い音圧レベルの呼吸音（強烈ないびき）が見られる一方で、かなりの時間無呼吸状態が続いている。
【００２８】
次に、被検者１のパワースペクトル解析結果を図４に、被検者２のパワースペクトル解析結果を図５に示す。被検者１の解析対象データ図２と図４を対応づけて見ると、無呼吸があると想定される  図２における（８）７分−８分の区間のパワースペクトル解析処理結果である図４における（８）７分−８分は、他の区間のパワースペクトル解析結果図と比較して、特徴的な差異が見られない。
【００２９】
これに対し被検者２の解析対象データ図３と図５を対応づけて見ると、図３における区間（３）、（７）、および（１０）は全区間無呼吸で、これに対応する図５における区間（３）、（７）、および（１０）は、他区間に比しパワーレベルに差が現れている。しかし、両被検者のパワースペクトル解析図は非常にノイジーで、１／ｆゆらぎや特定周波数によって無呼吸の有無を判定することは困難である。
【００３０】
そこで本発明においては、呼吸音測定データにフィルタ処理を施した後、呼吸終了点検出を行いこの呼吸終了点の間隔を呼吸間隔として呼吸間隔時系列データを生成する。先ず、呼吸音測定データのフィルタ処理は、この実施例においては、図６に示すステップで施される。即ち、呼吸音測定データを５００Ｈｚサンプリングへ変換した後、バイポーラ（正、負）データにおける負のデータを正の値に変換し、包絡線処理、移動平均処理を施した後、出力する。図２、図３に示す、睡眠時の呼吸音測定データをフィルタ処理した結果を、被検者１のものを図７に、被検者２のものを図８に示す。
【００３１】
図７、図８に示すフィルタ処理後の睡眠時呼吸音データには、明らかないびきや呼吸、不明瞭ないびきや呼吸、呼吸停止が混在しており、これらを正確に検出することはできない。そこで本発明においては、図９に示す処理ステップによって、呼吸間隔時系列データを生成する。即ち、図７、図８に示すフィルタ処理後の睡眠時呼吸音データにおいて、呼吸終了点検出用閾値、この実施例においては、図７、図８に示す呼吸音波形におけるdegree２００未満の呼吸音信号の極小点を呼吸終了点とする。この呼吸終了点の間隔を呼吸間隔とする。
【００３２】
呼吸間隔（呼吸終了点間隔）を、被検者１のものを図１０に、被検者２のものを図１１に示す。これらの図中の縦線が呼吸終了点を示している。図１０、図１１から明らかなように、いびきや呼吸は呼吸間隔（呼吸終了点間隔）が広く、図１０の（８）や図１１の（３）、（７）、および（１０）に見られるように、無呼吸時には呼吸間隔（呼吸終了点間隔）が狭い。無呼吸時に呼吸終了点を多数検出しているのは、時系列全体に僅かなノイズが存在しており、いびきや呼吸中はノイズレベルに比し信号レベルが非常に大きくノイズの影響を無視できるのに対し、無呼吸時には信号レベルが非常に小さく、ノイズレベルを無視できないためである。
【００３３】
前述のように、睡眠中無呼吸時の呼吸終了点は残存するノイズの影響で多数検出されるが、これらを含めた呼吸終了点間隔を呼吸間隔として呼吸間隔時系列データとして生成する。その結果を、被検者１のものを図１２に、被検者２のものを図１３に示す。図１２、図１３から明らかなように、睡眠中のいびきや呼吸間隔は、２秒間〜５秒間である。一方、睡眠中無呼吸時の呼吸間隔（呼吸終了点間隔）は１秒間未満と考えられる。この実施例においては、睡眠中の呼吸間隔（呼吸終了点間隔）が１秒間未満のものを無呼吸状態、１秒間以上のものを呼吸状態として識別することとした。
【００３４】
このようにして、無呼吸検出用閾値（呼吸間隔：１秒間）を用いて、麻酔による短時間睡眠中の被検者の呼吸状態或いは無呼吸状態を識別し、次式によって無呼吸率（Ｒａｐｎ）を求める。
【００３５】
【数１】
2007061203.tif 000004
【００３６】
ここで、Ｔｕｔｌは無呼吸検出用閾値未満の呼吸間隔、Ｔａｌｌは全ての呼吸間隔である。被検者１および被検者２の無呼吸率を、表２に示す。なお、図１４に、無呼吸検出用閾値を変化させたときの無呼吸率の挙動を示す。また、本発明の麻酔就眠時の呼吸音の解析による睡眠時無呼吸症候群の検出・評価システムにおける処理プロセスを図１５に示す。
【００３７】
【表２】
2007061203.tif 000005
【００３８】
表２から明らかなように、健常者である被検者１の無呼吸率は０．０６６であったのに対し、顕著なＳＡＳ患者である被検者２の無呼吸率は０．６４であった。このように、ＳＡＳの軽重を定量的に表現することができた。発明者らは、無呼吸検出用閾値を１秒間とした場合の無呼吸率が０．３程度以上をＳＡＳと考えている。
【００３９】
本発明の体温センサ付き検出端を用いた睡眠中呼吸音の解析による睡眠時無呼吸症候群の検出・評価システムの出力表示として、図１２、図１３に示すような、呼吸間隔時系列データ、図１６、図１７に示す、カオス処理手法による呼吸間隔時系列データのアトラクタ、および無呼吸率を表示する。
【００４０】
図１６は被検者１の呼吸間隔時系列データのアトラクタ、図１７は被検者２の呼吸間隔時系列データのアトラクタを示す。図１６、図１７から明らかなように、図１６に示す被検者１の軌道に比し、図１７に示す被検者２の軌道は全体に広がらずに左隅に集中している。ここが、無呼吸のエリアである。
【図面の簡単な説明】
【００４１】
【図１】本発明の一実施例に係わる、被検者の睡眠中の呼吸音データおよび体温データを採取する発受信ユニットを示す模式図
【図２】本発明の一実施例に係わる、呼吸音測定開始から１分間毎の被検者１の呼吸音解析データを示すグラフ
【図３】本発明の一実施例に係わる、呼吸音測定開始から１分間毎の被検者２の呼吸音解析データを示すグラフ
【図４】本発明の一実施例に係わる、呼吸音測定開始から１分間毎の被検者１のパワースペクトル解析データを示すグラフ
【図５】本発明の一実施例に係わる、呼吸音測定開始から１分間毎の被検者２のパワースペクトル解析データを示すグラフ
【図６】本発明の一実施例に係わる、呼吸音解析データのフィルタ処理のプロセスの一例を示すブロックダイアグラム
【図７】本発明の一実施例に係わる、フィルタ処理後の被検者１の呼吸音解析データを示すグラフ
【図８】本発明の一実施例に係わる、フィルタ処理後の被検者２の呼吸音解析データを示すグラフ
【図９】本発明の一実施例に係わる、呼吸間隔時系列データ生成のための処理ステップを示すブロックダイアグラム
【図１０】本発明の一実施例に係わる、被検者１の呼吸間隔（呼吸終了点間隔）を示すグラフ
【図１１】本発明の一実施例に係わる、被検者２の呼吸間隔（呼吸終了点間隔）を示すグラフ
【図１２】本発明の一実施例に係わる、被検者１の呼吸間隔時系列データを示すグラフ
【図１３】本発明の一実施例に係わる、被検者２の呼吸間隔時系列データを示すグラフ
【図１４】本発明の一実施例に係わる、無呼吸検出用閾値と無呼吸率の関係を示すグラフ
【図１５】麻酔就眠時の呼吸音の解析による睡眠時無呼吸症候群の検出・評価システムのデータ解析処理ステップを示すブロックダイアグラム
【図１６】カオス処理手法による被検者１の呼吸間隔時系列データのアトラクタを示す立体グラフ
【図１７】カオス処理手法による被検者2の呼吸間隔時系列データのアトラクタを示す立体グラフ
【符号の説明】
【００４２】
１  頸部密着型マイクロホン（送信機）
２  マイクロホン（検出端）
３  温度計
４  両面テープ
５  電池（バッテリー）
６  受信機能付き記録装置
７  電源ボタン
【図１】
2007061203.tif 000006
【図２】
2007061203.tif 000007
【図３】
2007061203.tif 000008
【図４】
2007061203.tif 000009
【図５】
2007061203.tif 000010
【図６】
2007061203.tif 000011
【図７】
2007061203.tif 000012
【図８】
2007061203.tif 000013
【図９】
2007061203.tif 000014
【図１０】
2007061203.tif 000015
【図１１】
2007061203.tif 000016
【図１２】
2007061203.tif 000017
【図１３】
2007061203.tif 000018
【図１４】
2007061203.tif 000019
【図１５】
2007061203.tif 000020
【図１６】
2007061203.tif 000021
【図１７】
2007061203.tif 000022